(57)【特許請求の範囲】
【請求項１】
傾斜した状態でセットされる被記録材の背面をガイドするガイド部材と、
被記録材の先端が当接する当接面と、
最上位にセットされた被記録材に当接して給送方向に被記録材を繰り出す給紙ローラと、を備えた給紙装置であって、
傾斜した状態でセットされる被記録材を、側面視において下に凸となる様に撓曲させる撓曲手段を備え、
前記撓曲手段が、傾斜した状態でセットされる被記録材の後端側を、前記ガイド部材から離間させることによって被記録材と前記ガイド部材との間に空間部を形成する離間手段と、
給送時に前記空間部に向けて被記録材を押圧する押圧手段と、を備え、
前記撓曲手段により、被記録材セット時に被記録材先端が前記当接面に当接する当接角αと、被記録材給送時に被記録材先端が前記当接面に当接する当接角βを、α＞βなる関係になすことを特徴とする給紙装置。
【請求項２】
傾斜した状態でセットされる被記録材の背面をガイドするガイド部材と、
被記録材の先端が当接する当接面と、
最上位にセットされた被記録材に当接して給送方向に被記録材を繰り出す給紙ローラと、を備えた給紙装置であって、
傾斜した状態でセットされる被記録材を、側面視において下に凸となる様に撓曲させる撓曲手段を備え、
前記撓曲手段が、可撓性を備え、且つ、被記録材後端側が固定されることによって下に凸となる様に撓曲可能に構成された前記ガイド部材と、給送時に前記ガイド部材に向けて被記録材を押圧する押圧手段と、を備え、
前記撓曲手段により、被記録材セット時に被記録材先端が前記当接面に当接する当接角αと、被記録材給送時に被記録材先端が前記当接面に当接する当接角βを、α＞βなる関係になすことを特徴とする給紙装置。
【請求項３】
請求項１または２において、前記撓曲手段が、前記給紙ローラと共通の駆動源によって稼働することを特徴とする給紙装置。
【請求項４】
請求項１から３のいずれか１項において、前記押圧手段が、正転／逆転可能に駆動回動される太陽歯車と、該太陽歯車に噛合する少なくとも１以上の遊星歯車と、前記遊星歯車を軸支し、且つ、前記太陽歯車の回動中心を中心として、前記太陽歯車の正転／逆転に従って従動回動する軸支部材と、前記軸支部材の回動中心から離間した位置で前記軸支部材に軸支され、前記軸支部材の回動に従って被記録材に対して進退動作を行い且つ給送時には進出することにより被記録材に圧接する前記給紙ローラと、からなることを特徴とする給紙装置。
【請求項５】
請求項１から４のいずれか１項において、前記当接面に摩擦部材が配設されていることを特徴とする給紙装置。
【請求項６】
請求項１から５のいずれか１項において、前記ガイド部材に摩擦部材が配設されていることを特徴とする給紙装置。
【請求項７】
請求項１から６のいずれか１項に記載の給紙装置を備えていることを特徴とする記録装置。
【発明の詳細な説明】
【０００１】
【発明の属する技術分野】
本発明は、プリンタ、ファクシミリ、コピー装置に代表される記録装置において被記録材を給送する給紙装置及び該給紙装置を備えた記録装置に関する。
【０００２】
【従来の技術】
被記録材に記録を行う記録部へと被記録材を給送する給紙装置には、被記録材としての例えば印刷用紙（単票紙：以下、単に「用紙」と言う。）を、傾斜した状態で複数枚堆積させてセットし、給送時に用紙背面をガイドするホッパを給紙ローラに押圧する方向に付勢し、これによって給紙ローラに最上位の用紙を圧接させて１枚ずつ繰り出す構成が一般に知られている。
【０００３】
この様な構成においては、ホッパは付勢部材によって常に給紙ローラに向けて付勢されていて、ホッパの給紙ローラに対する圧接解除動作は、給紙ローラの回動軸に設けられるカム機構がホッパを押し下げることによって行われる様になっている。従って、当該カム機構がホッパの押し下げ状態を解除すると、ホッパは付勢部材によって勢い良く給紙ローラに衝突する為、当該衝突する際に衝突音が発生する。この衝突音は、用紙を一定時間に多数枚給送する際には連続して発生する為、耳障りな騒音となる場合がある。
従ってこれを回避すべく、セットされる用紙（ホッパ）の側は固定状態として、給紙ローラ側を可動に構成し、給紙ローラ自らが最上位の用紙へ圧接に向かう様に構成された給紙装置がある。
【０００４】
【発明が解決しようとする課題】
ところで、傾斜した状態でセットされる用紙の先端は、その先端が当接する当接面との間で所定の角度を形成するが、当該角度（以下、これを「当接角」と言う。）は、用紙セット時と、用紙給送時とで異なる様になすことが望ましい。  即ち、用紙は傾斜した状態でセットされる為、当接角が小さい（用紙が寝ている状態）と、堆積された用紙が最上位のものから崩れ落ちる、所謂、“雪崩現象”が発生する虞がある。これは、特に、用紙間の摩擦係数が小なる場合（例えば、ＯＨＰシート等）に顕著となる。
【０００５】
一方、一枚ずつ繰り出される用紙は、給送される際、その先端において前記当接面との間で接触摩擦抵抗力を発生させる為、当接角が大きい（用紙が立っている状態）と、当該接触摩擦抵抗力が大なるものとなり、従って大なる給送力を必要とするので、給紙ローラの駆動系に負荷がかかったり、或いは、用紙先端が当接面に引っ掛かった状態で給紙ローラが回動し、用紙を折り曲げてしまう場合も生じる。
この様な問題は、給紙ローラは固定で、ホッパ（用紙）が給紙ローラに圧接する様な構成を採る前者の給紙装置では、当接角がホッパの上昇により変化する為に生じ難いが、用紙（ホッパ）は固定で、給紙ローラが最上位の用紙へ圧接に向かう様な構成を採る後者の給紙装置では、当接角が一定であるために生じ易い。
【０００６】
そこで本発明は上記問題に鑑みなされたものであり、その課題は、給送時の静粛性を確保しつつ、用紙セット時と用紙給送時における用紙先端の当接角を変化させて、以て適切な用紙セット性能及び用紙給送性能を得ることにある。
【０００７】
【課題を解決するための手段】
上記課題を解決するために、本願請求項１記載の給紙装置は、傾斜した状態でセットされる被記録材の背面をガイドするガイド部材と、被記録材の先端が当接する当接面と、最上位にセットされた被記録材に当接して給送方向に被記録材を繰り出す給紙ローラと、を備えた給紙装置であって、傾斜した状態でセットされる被記録材を、側面視において下に凸となる様に撓曲させる撓曲手段を備え、前記撓曲手段が、傾斜した状態でセットされる被記録材の後端側を、前記ガイド部材から離間させることによって被記録材と前記ガイド部材との間に空間部を形成する離間手段と、給送時に前記空間部に向けて被記録材を押圧する押圧手段と、を備え、前記撓曲手段により、被記録材セット時に被記録材先端が前記当接面に当接する当接角αと、被記録材給送時に被記録材先端が前記当接面に当接する当接角βを、α＞βなる関係になすことを特徴とする。
【０００８】
本願請求項１記載の発明によれば、被記録材を給紙ローラに圧接させるホッパ機構を用いずに、被記録材先端が当接する当接面と被記録材先端とのなす角度を、被記録材セット時と被記録材給送時とで異なるようになすことができるので、これによって静粛性を確保しつつ、適切に被記録材をセットでき、また、適切に被記録材を給送することができる。
即ち、被記録材は傾斜した状態でセットされる為、被記録材セット時に被記録材先端と前記当接面とがなす当接角α（α＜９０°）が小さい場合（被記録材が寝ている状態）、雪崩現象によって堆積された被記録材が崩れる虞がある。一方、被記録材給送時の当接角β（β＜９０°）が大きい場合（被記録材が立っている状態）、被記録材先端と前記当接面との間の摩擦抵抗力が大なるものとなり、従って大なる給送力を必要とするので、給紙ローラの駆動系に負荷がかかり、或いは、被記録材が給送できず、被記録材を変形させる場合も生じる。
【０００９】
従来の給紙装置においては、被記録材を上方に押し上げて給紙ローラに圧接させるホッパ機構によって、前記当接角αと当接角βとを異なるようになしていたが、その機構上の特徴により騒音が発生する問題があった。一方で、給紙ローラ自らが被記録材に圧接に向かう構成を採れば、前記当接角αと当接角βとを異なるようになすことができず、被記録材のセット性能と給送性能を両立させることができなかった。
【００１０】
しかし、本願請求項１記載の給紙装置は、撓曲手段によって、被記録材を、下に凸となるように撓曲させる。これにより、ホッパ機構を用いずに、被記録材セット時の前記当接角αと、被記録材給送時の前記当接角βとを、α＞βなる関係になすことができ、以てホッパ機構を用いずに静粛性を確保しつつ、被記録材のセット性能と給送性能とを両立させることが可能となる。
また、前記撓曲手段を、傾斜した状態でセットされる被記録材の後端側を前記ガイド部材から離間させることによって被記録材と前記ガイド部材との間に空間部を形成する離間手段と、給送時に前記空間部に向けて被記録材を押圧する押圧手段とによって構成したので、単純な構造で安価に撓曲手段を構成することができる。
【００１１】
本願請求項２記載の給紙装置は、傾斜した状態でセットされる被記録材の背面をガイドするガイド部材と、被記録材の先端が当接する当接面と、最上位にセットされた被記録材に当接して給送方向に被記録材を繰り出す給紙ローラと、を備えた給紙装置であって、傾斜した状態でセットされる被記録材を、側面視において下に凸となる様に撓曲させる撓曲手段を備え、前記撓曲手段が、可撓性を備え、且つ、被記録材後端側が固定されることによって下に凸となる様に撓曲可能に構成された前記ガイド部材と、給送時に前記ガイド部材に向けて被記録材を押圧する押圧手段と、を備え、前記撓曲手段により、被記録材セット時に被記録材先端が前記当接面に当接する当接角αと、被記録材給送時に被記録材先端が前記当接面に当接する当接角βを、α＞βなる関係になすことを特徴とする。  
本願請求項２記載の発明によれば、上記請求項１記載の発明と同様に、上記撓曲手段によって、被記録材を、下に凸となるように撓曲させるので、ホッパ機構を用いずに、被記録材セット時の前記当接角αと、被記録材給送時の前記当接角βとを、α＞βなる関係になすことができ、以てホッパ機構を用いずに静粛性を確保しつつ、被記録材のセット性能と給送性能とを両立させることが可能となる。
また、給送時に被記録材を側面視において下に凸となる様に撓曲させる為に、当該撓曲させる部分において、被記録材の背面側に空間部を設ける様な構成を採る場合、以下の様な問題が生ずる場合がある。即ち、被記録材の剛性が低い場合、給送時のみならずセット時において被記録材が前記空間部において撓曲し、被記録材先端が前記当接面に当接する角度が浅くなって所謂雪崩現象を起こす場合がある。しかし、本願請求項２記載の給紙装置は、被記録材の背面とガイド部材との間に空間部は設けずに、ガイド部材によって被記録材の背面を均一にガイドしつつ、ガイド部材に可撓性を持たせることによって、撓曲時には被記録材とガイド部材の双方を撓曲させることとしたので、被記録材が低剛性の場合であっても、被記録材セット時に雪崩現象を起こさずに、被記録材先端が前記当接面に当接する角度をセット時と給送時で確実に異なる様になすことができる。
【００１２】
本願請求項３記載の給紙装置は、請求項１または２において、前記撓曲手段が、前記給紙ローラと共通の駆動源によって稼働することを特徴とする。本願請求項２記載の発明によれば、撓曲手段が、給紙ローラと共通の駆動源を備えているので、撓曲手段のみに用いる駆動源を配設する必要が無く、以て給紙装置の低コスト化を計ることができる。
【００１４】
本願請求項４記載の給紙装置は、請求項１から３のいずれか１項において、前記押圧手段が、正転／逆転可能に駆動回動される太陽歯車と、該太陽歯車に噛合する少なくとも１以上の遊星歯車と、前記遊星歯車を軸支し、且つ、前記太陽歯車の回動中心を中心として、前記太陽歯車の正転／逆転に従って従動回動する軸支部材と、前記軸支部材の回動中心から離間した位置で前記軸支部材に軸支され、前記軸支部材の回動に従って被記録材に対して進退動作を行い且つ給送時には進出することにより被記録材に圧接する前記給紙ローラとからなることを特徴とする。本願請求項５記載の発明によれば、被記録材を押圧して撓曲させる押圧手段を、太陽歯車と、該太陽歯車に噛合する遊星歯車と、これらを軸支する軸支部材と、被記録材に対して進退動作を行う給紙ローラと、によって構成し、給紙ローラを被記録材に圧接させることによって被記録材を撓曲させることとしたので、給紙ローラと押圧手段とを別に設ける必要が無く、給紙装置の低コスト化を計ることができる。
【００１５】
本願請求項５記載の給紙装置は、請求項１から４のいずれか１項において、前記当接面に摩擦部材が配設されていることを特徴とする。被記録材先端が当接する当接面と被記録材先端との間における接触摩擦抵抗は、被記録材セット時或いは給送時の当接角度や、被記録材の材質によって異なるものとなる。ここで、給紙ローラの駆動系にかかる負荷等を考慮すると、前記接触摩擦抵抗は適切な値に設定されることが望ましいが、本願請求項６記載の発明によれば、被記録材先端が当接する当接面には摩擦部材が配設されているので、前記接触摩擦抵抗を、簡易な手段で適切な値に調整することが可能となる。
【００１６】
本願請求項６記載の給紙装置は、請求項１から５のいずれか１項において、前記ガイド部材に摩擦部材が配設されていることを特徴とする。本願請求項７記載の発明によれば、ガイド部材に摩擦部材が配設されているので、これによってセットされた被記録材の最上位のものが給送される際、最上位と次位以降の被記録材間の摩擦抵抗力によって、堆積された被記録材全体が給送される不具合を防止する、所謂“滑り止め効果”を得ることができる。
【００１７】
本願請求項７記載の記録装置は、請求項１から６のいずれか１項に記載の給紙装置を備えていることを特徴とする。本願請求項７記載の発明によれば、記録装置において、前述した本願請求項１から６のいずれか１項に記載の発明と同様な作用効果を得ることができる。
【００１８】
【発明の実施の形態】
以下、本発明の一実施形態を図１から図５を参照しつつ説明する。ここで、図１は本発明の一実施形態に係る記録装置の概略側面図であり、符号１００は当該記録装置を、符号５０は記録装置１００に備えられる給紙装置を示している。以下では先ず、図１を参照しつつ記録装置１００及び給紙装置５０について概説する。
【００１９】
記録装置１００は被記録材としての印刷用紙（単票紙。以下、単に「用紙」と言う。）Ｐを傾斜した状態で複数枚堆積・収納する給紙装置５０を装置後方側（図１における右側）に備え、当該給紙装置５０は、傾斜した状態でセットされた用紙Ｐを、１枚ずつ装置前方側（図１における左側）へ給送する。
【００２０】
用紙Ｐの給紙装置５０へのセットは、給紙装置５０の上方（図１における右上）から斜め下（図１における左下）へ差し込む様にして行われる。このとき、差し込まれる用紙Ｐの先端は、傾斜した状態で設けられたガイド部材５に当接し、当該ガイド部材５にガイドされながら給紙装置５０の下部に位置する先端ガイド部材４の当接面４ａに当接し、或いは、ガイド部材５に当接しないで当接面４ａに直接当接し、そして、用紙Ｐの先端が揃う様になっている。ここで、いずれの場合においても、ガイド部材５は、用紙Ｐがセットされた後において、セットされた用紙Ｐ先端の背面側をガイドする様になっている。
尚、用紙Ｐの後端側には、後に詳述する「撓曲手段」を構成する離間部材６がガイド部材５から突出する様に設けられていて、当該離間部材６によって、用紙Ｐがセットされた際に、用紙Ｐとガイド部材５との間に空間部７が形成される様になっている。
【００２１】
傾斜した状態でセットされた用紙Ｐの表側には、給紙ローラユニット１が配設されている。給紙ローラユニット１は、符号２で示す給紙ローラユニット駆動軸（以下、単に「駆動軸」と言う。）を回動中心として回動可能に設けられていて、駆動軸２の正転／逆転によって図１に示す時計方向／反時計方向のいずれにも回動可能となっている。尚、当該給紙ローラユニット１の詳細な構成については後に詳述する。
【００２２】
給紙ローラユニット１において駆動軸２から下方に離間した位置には、給紙ローラ３が設けられている。給紙ローラ３は駆動軸２を動力源とし、駆動軸２の回動に従って正転／逆転する様に構成され、用紙Ｐの給送を行う際には、給紙ローラユニット１が図１に示す反時計方向に回動することによって給紙ローラ３が正転した状態で用紙Ｐの最上位のものに圧接し、これにより、最上位の用紙Ｐ（図１において符号Ｐ1で示す）の給送が行われる。
【００２３】
次に、給紙装置５０から給送方向下流側には、搬送駆動ローラ８及び搬送従動ローラ９が配設されている。搬送駆動ローラ８は図示を省略する制御部によって駆動回動され、給紙装置５０によって給送された用紙Ｐ1は、搬送駆動ローラ８及び搬送従動ローラ９との間にニップされ、そして搬送駆動ローラ８が駆動回動されることによって一定ピッチで記録部１４の下部へと搬送される。
【００２４】
キャリッジ１３は底部に記録部１４を備え、主走査方向（図１における紙面の表裏方向）に平行に設けられたガイド軸１５に案内されながら、主走査方向に往復動する様に構成されている。
【００２５】
記録部１４は、キャリッジ１３に搭載されたインク・カートリッジ（図示せず）からインクを供給され、記録装置１００の制御部（図示せず）からの印字情報に従って下部に搬送された用紙Ｐ1にインクを吐出し、これにより印刷が行われる。尚、記録部１４の下方にはプラテン１２が配設されていて、当該プラテン１２によって、用紙Ｐ1と記録部１４との間のギャップが規制されている。
【００２６】
記録部１４から搬送方向下流側には排紙ローラ１０及び排紙従動ローラ１１が設けられていて、記録部１４によって記録の行われた用紙Ｐ1は、搬送ローラ１０及び搬送従動ローラ１１との間にニップされ、搬送ローラ１０の回動によって、搬送ローラ１０から下流側（図１における左側）に設けられた排紙スタック（図示せず）に排紙される。以上が、記録装置１００及び給紙装置５０の概略である。
【００２７】
次に、図２乃至図５を参照しつつ、給紙装置５０の構成及び作用効果について詳述する。ここで、図２は給紙装置５０の正面図であり、図３（Ａ）は給紙装置５０に設けられた給紙ローラ３の正面図（給紙装置５０の正面側から視た図）、図３（Ｂ）は同側面図（給紙装置５０の側面側から視た図）である。また、図４は給紙装置５０の、用紙Ｐセット時（非給送時）の状態を示す側面図であり、図５は、給紙装置５０の、用紙Ｐ給送時の状態を示す側面図である。
【００２８】
図２において、符号２は用紙Ｐの幅方向に長い前述した駆動軸であって、図示を省略する駆動モータによって正転／逆転駆動される。駆動軸２から駆動力を得る給紙ローラユニット１は、駆動軸２の端部、即ち、給紙装置５０（記録装置１００）の０桁側（図２における右側）に配置され、当該０桁側において、用紙Ｐへ給紙ローラ３による給送力を付与する様に構成されている。ここで、本実施形態においては、給紙ローラユニット１は記録装置５０の０桁側に配設されているが、これは多様なサイズ（幅）の用紙Ｐに対応する為であり、従って用紙Ｐのサイズに応じて給紙装置５０の中央付近に配設されていても構わないし、或いは、図２における左側に配設されていても構わない。また、本実施形態では給紙ローラユニット１は０桁側にのみ１つ配設されているが、その他の場所（例えば、給紙装置５０の中央付近）に更に別の給紙ローラユニット１を設け、複数の給紙ローラユニット１によって用紙Ｐの給送を行う様に構成しても構わない。更に、給紙ローラ３を用紙Ｐの幅方向に長いローラとし、用紙Ｐの幅方向全体に渡って均一な給送力を付与することもできる。
【００２９】
ここで、給紙ローラユニット１の詳細な構成について図３を参照しつつ説明する。図３（Ａ），（Ｂ）において、給紙ローラユニット１は前述の通り駆動軸２の端部に設けられ、駆動軸２から駆動力を得る様に構成されている。駆動軸２には太陽歯車１９が取り付けられていて、該太陽歯車１９に噛合する遊星歯車２０に回動力を伝達する。そして、遊星歯車２０は伝達歯車２１に噛合し、該伝達歯車２１は、給紙ローラ歯車２２に噛合して回動力を伝達する。遊星歯車２０，伝達歯車２１，給紙ローラ歯車２２は、それぞれ回動軸２０ａ，２１ａ，２２ａに取り付けられ、これら３つの回動軸は、軸支部材１８，１８によって軸支されている。
また、軸支部材１８，１８は、駆動軸２を軸通するのみであるので、駆動軸２の軸方向に移動可能となっている。従って、駆動軸２に固設された固定部材２３，２３で挟むことにより、駆動軸２の端部から移動しない様に軸方向位置を規制している。また同時に、軸支部材１８，１８は、駆動軸２を軸通するのみであるため、従って軸支部材１８，１８は、駆動軸２を回動中心として、図３（Ｂ）に示す時計方向／反時計方向に回動することができる様になっている。
【００３０】
駆動軸２から離間した位置において、軸支部材１８，１８に挟まれる様に設けられる給紙ローラ３は、ローラ本体３ａの外周にゴム材３ｂが巻回されることによって構成されていて、当該ゴム材３ｂにより、用紙Ｐとの接触摩擦抵抗力を高めて確実な用紙Ｐの給送が行える様になっている。ローラ本体３ａは回動軸２２ａを構成し、該回動軸２２ａは、前述の様に軸支部材１８，１８に回動可能に取りつけられている。尚、回動軸２２ａは、軸端固定部材２４，２４によって軸支部材１８，１８から脱落しない様に取り付けられている。また、前述の様に回動軸２２ａには給紙ローラ歯車２２が取り付けられていて、従って給紙ローラ歯車２２には、遊星歯車２０，伝達歯車２１を介して駆動軸２の回動力が伝達され、これにより、給紙ローラ３が回動する様になっている。
【００３１】
以上の様に構成された給紙ローラユニット１の動作について説明すると、まず、駆動軸２が回動すると、該駆動軸２に固設された太陽歯車１９が回動して、遊星歯車２０を回動させる。ここで、遊星歯車２０は、太陽歯車１９の周りを公転する遊星歯車であるが、遊星歯車２０の回動軸２０ａを軸支する軸支部材１８，１８は、駆動軸２を回動中心として回動可能となっているので、遊星歯車２０が太陽歯車１９の周りを公転することにより、軸支部材１８，１８は、駆動軸２を回動中心として回動する（図３（Ｂ）における時計方向／反時計方向）。従ってこれにより、給紙ローラ３が、用紙Ｐに対して進退動作を行い、給送時には、用紙Ｐに圧接することができる。尚、図３（Ｂ）における駆動軸２の反時計方向の回転が、給紙ローラ３が正転する回動方向（時計方向の回動方向）となっていて、駆動軸２が図３（Ｂ）における反時計方向に回動すると、軸支部材１８，１８は図３（Ｂ）における反時計方向に回動して給紙ローラ３が用紙Ｐに圧接し、且つ、給紙ローラ３は時計方向に回動して、以て用紙Ｐの給送が行われる（図１参照）。
【００３２】
尚、本実施形態においては、前述から明かな様に給紙ローラユニット１の回動動作と給紙ローラ３の回動動作は、いずれも駆動軸２によって行う様になっている。従ってこれにより別々の駆動源を設けることなく給紙装置５０の低コスト化を計っている。
【００３３】
次に、給紙ローラユニット１の「撓曲手段」としての作用について図４及び図５を参照しつつ説明する。図４において、給紙装置５０は前述の通り用紙Ｐを傾斜した状態でセットする。このとき、ガイド部材５には「離間手段」としての離間部材６がガイド部材５から突出する様に取り付けられているので、セットされる用紙Ｐは後端に向かうに従ってガイド部材５から離間し、これにより、用紙Ｐとガイド部材５との間に空間部７が形成される。従って、ガイド部材５と当接面４ａ（本実施形態においては、当接面４ａは略水平をなしている）とのなす角度γと、用紙Ｐの先端が当接面４ａに当接する当接角αとは、α＞γの関係をなしている。つまり、用紙Ｐのセット時には、用紙Ｐの傾斜角度はガイド部材５の傾斜角度よりも鈍角となっている。
【００３４】
次に、用紙Ｐの給送時には、前述の様に給紙ローラユニット１が駆動軸２を回動中心として図４に示す反時計方向に回動し、給紙ローラ３が用紙Ｐに圧接する。ここで、給紙ローラ３が圧接する用紙Ｐの裏側には、空間部７が位置しているので、給紙ローラ３が用紙Ｐに圧接する圧接力によって、用紙Ｐは、下に凸となる様に撓曲する（図５の状態）。つまり、給紙ローラユニット１が、用紙Ｐを空間部７に向けて押圧する押圧手段となり、また、空間部７を形成する補助板７と、給紙ローラユニット１とが、用紙Ｐを撓曲させる撓曲手段を構成している。
【００３５】
ここで、図５に示す様に用紙Ｐは下に凸となる様に撓曲し、用紙Ｐ先端は、ガイド部材５に密着した状態となる。従って、用紙Ｐの先端が当接面４ａに当接する当接角βは、ガイド部材５と当接面４ａとがなす角度γと等しくなり、従って、前述した用紙Ｐセット時における用紙Ｐ先端と当接面４ａとのなす角度αとの関係においては、α＞βとなる。
【００３６】
このように、用紙Ｐ給送時に用紙Ｐ先端が当接面４ａに当接する角度を、用紙Ｐセット時のそれよりも小なるようになしたことにより、用紙Ｐのセット及び用紙Ｐの給送を適切に行うことができる。即ち、用紙Ｐは傾斜した状態でセットされる為、用紙Ｐセット時に用紙Ｐ先端と当接面４ａとがなす当接角α（α＜９０°）が小さい場合（用紙Ｐが寝ている状態）、所謂雪崩現象によって堆積された用紙Ｐが崩れて重送される虞がある。一方、用紙Ｐ給送時においては、用紙Ｐ先端は当接面４ａ上を擦り動きながら給送方向に給送される為、給送時の当接角β（β＜９０°）が大きい場合（用紙Ｐが立っている状態）、用紙Ｐ先端と当接面４ａとの間の接触摩擦抵抗力が大なるものとなり、従って大なる給送力を必要とするので、給紙ローラ３の駆動系に負荷がかかり、或いは、その用紙Ｐ先端が当接面４ａに引っ掛かった状態のまま用紙Ｐが給送されずに折り曲がる虞もある。しかし、給紙装置５０は、給送時に給紙ローラユニット１と離間部材６とからなる撓曲手段によって、用紙Ｐを下に凸となるように撓曲させて、当接角βを小さくするので、これによって用紙Ｐ先端と当接面４ａとの間の接触摩擦抵抗力を低減した状態で円滑に用紙Ｐの給送を行うことができる。また一方では、用紙Ｐセット時には、当接角αを大きくするので、雪崩現象を起こすことなく確実に傾斜した状態で用紙Ｐをセットすることができる。
【００３７】
尚、当接面４ａには、図２及び図４，５に示す様に摩擦部材１６，１６が配設されていて、これにより、用紙Ｐ先端と当接面４ａとの接触摩擦抵抗力をより適切なものとしている。また、同様にガイド部材５には摩擦部材１７，１７が配設されていて、これにより、堆積された用紙Ｐの最下位のものとの接触摩擦抵抗力が高められ、給紙ローラ３による用紙Ｐの給送時に、セットされた用紙Ｐ全体が重送される不具合を防止している。
【００３８】
ところで、セットする用紙Ｐの剛性が低い場合、その低剛性によってセット時に用紙Ｐが撓曲して雪崩現象を起こす虞がある。従って、図６に示す様に、用紙Ｐと離間部材６との間に可撓性補助板２５を設け、用紙Ｐのセット時には用紙Ｐが撓曲しない様に（図６（Ａ））、一方で用紙Ｐの給送時には用紙Ｐと一緒に下に凸となる様に撓曲する様に（図６（Ｂ））構成することによって、前述した不具合を防止することもできる。
【００３９】
また、これまで述べた実施の形態においては、ガイド部材５に剛性を備えたものを用い、用紙Ｐの給送時に当該ガイド部材５に用紙Ｐ先端を密着させることによって用紙Ｐ給送時の当接角βが決定されていた。つまり、ガイド部材５は変形しないので、当接角βは一定なものとなっていたが、当接角α＞βなる関係となれば、本発明の作用効果を得ることができるから、図７に示す様な実施の形態とすることもできる。図７は給紙装置５０の他の実施の形態を示す側面図であり、符号５ａは、可撓性を備えた可撓性ガイド部材５ａを示している。本実施形態においては、前述したガイド部材５は可撓性を備えた可撓性ガイド部材５ａとなっていて、ガイド部材５ａの上方には、規制部材５ｂが設けられている。従って、用紙Ｐセット時には用紙Ｐのセットに最適な当接角αが保たれ（図７（Ａ））、用紙Ｐの給送時には、給紙ローラ３及び規制部材５ｂによって可撓性ガイド部材５ａが用紙Ｐと一緒に下に凸となる様に撓曲して当接角αよりも小なる当接角βとなり（図７（Ｂ））、給送時の用紙Ｐ先端の接触摩擦抵抗力を軽減して円滑に用紙Ｐを給送することができる。尚、本実施形態においては、可撓性ガイド部材５ａに配設される摩擦部材１７も可撓性を備えていることが望ましい。
【００４０】
【発明の効果】
以上説明したように本発明によれば、被記録材先端が当接する当接面と、被記録材先端とのなす角度が、被記録材セット時と被記録材給送時とで異なるので、これによって適切に被記録材をセットでき、また、適切に被記録材を給送することができる。
【図面の簡単な説明】
【図１】本発明に係る記録装置の概略側面図である。
【図２】本発明に係る給紙装置の正面図である。
【図３】（Ａ）は本発明に係る給紙装置の、給紙ローラの正面図であり、（Ｂ）は同側面図である。
【図４】本発明に係る給紙装置の、用紙セット時の状態を示す側面図である。
【図５】本発明に係る給紙装置の、用紙給送時の状態を示す側面図である。
【図６】本発明の他の実施の形態に係る給紙装置の側面図である。
【図７】本発明の他の実施の形態に係る給紙装置の側面図である。
【符号の説明】
１  給紙ローラユニット
２  給紙ローラ駆動軸
３  給紙ローラ
４  先端ガイド部材
４ａ  ガイド面
５  ガイド部材
５ａ  可撓性ガイド部材
６  補助板
７  空間部
１６，１７  摩擦部材
１８  軸支部材
１９  太陽歯車
２０  遊星歯車
２１  伝達歯車
２２  給紙ローラ歯車
２５  可撓性補助板
【図１】
0003659168.tif 000002
【図２】
0003659168.tif 000003
【図３】
0003659168.tif 000004
【図４】
0003659168.tif 000005
【図５】
0003659168.tif 000006
【図６】
0003659168.tif 000007
【図７】
0003659168.tif 000008